(57)【要約】  【課題】  各種混合材料を効率よくかつ確実に攪拌・混合処理可能とすると共に、混合材料の付着成長を極力抑えてメンテナンス性に優れたミキサを提供する。  【解決手段】  混合槽３の対向する左右側壁に軸心を同一とする一対の回転軸８、８′をそれぞれ貫通させて回転自在に軸支し、混合槽３内には回転軸８、８′の軸心と平行にかつ同心円上に複数の羽根支持材１４ａ、１４ｂを備え、この羽根支持材１４ａ、１４ｂの両端部をそれぞれ左右回転軸８、８′に突設した支持片１２ａ、１２ｂに固着して連結すると共に、これら各羽根支持材１４ａ、１４ｂにてリボン状螺旋羽根１５ａ、１５ｂを固定支持する。このように構成したので、各種混合材料を効率よくかつ確実に攪拌・混合処理できると共に、付着の生じやすい混合軸や支持アームが無くて混合材料の付着・成長が極力抑えられ、メンテナンス性の向上が期待できる。【選択図】  図１
2009066537.tif 000002
【特許請求の範囲】
【請求項１】
上端部に混合材料の投入口を有した混合槽を備え、該混合槽の対向する左右側壁に軸心を同一とする一対の回転軸をそれぞれ貫通させて回転自在に軸支し、各回転軸には混合槽側壁に沿って回転する支持片を突設する一方、混合槽内には回転軸の軸心と平行にかつ同心円上に複数の羽根支持材を備え、該羽根支持材の両端部をそれぞれ左右回転軸の支持片に固着して連結すると共に、これら各羽根支持材にてリボン状螺旋羽根を固定支持したことを特徴とするミキサ。
【請求項２】
螺旋方向を互いに逆方向に形成した一対のリボン状螺旋羽根をそれぞれ羽根支持材の左右両端側から中央側に掛けて固定支持し、混合槽内の混合材料を互いに相反方向へ送り出すように構成したことを特徴とする請求項１記載のミキサ。
【請求項３】
羽根支持材を回転軸の軸心の半径方向へ二重に備え、そのそれぞれにリボン状螺旋羽根を固定支持したことを特徴とする請求項１または２記載のミキサ。
【請求項４】
螺旋方向を互いに逆方向に形成した一対のリボン状螺旋羽根をそれぞれ外側の羽根支持材の左右両端側から中央側に掛けて固定支持し、混合槽内の半径方向外周部の混合材料を互いに相反方向へ送り出すようにする一方、螺旋方向を互いに逆方向に形成した一対のリボン状螺旋羽根をそれぞれ内側の羽根支持材の中央側から左右両端側に掛けて固定支持し、混合槽内の半径方向中心部の混合材料を互いに相反方向へ、かつ外周部の混合材料とは逆方向へ送り出すように構成したことを特徴とする請求項３記載のミキサ。
【請求項５】
左右回転軸の各支持片には回転に伴って混合槽側壁表面を掻き取るスクレーパを備えたことを特徴とする請求項１乃至４記載のミキサ。
【発明の詳細な説明】
【技術分野】
【０００１】
本発明は、粉体等の各種混合材料を攪拌・混合処理するミキサに関し、特に混合材料の付着の少ないメンテナンス性に優れたミキサに関する。
【背景技術】
【０００２】
従来、食品や薬品、或いは化粧品等、比較的軽量な粉体同士等を攪拌・混合処理するミキサとして、リボン状螺旋羽根を有した、所謂リボンミキサと呼ばれるミキサが広く利用されている。前記リボンミキサは、例えば特許文献１（実公昭６３−３３６２４号公報）に示されるように、上端部に混合材料の投入口を有した混合槽を備え、該混合槽の対向する左右側壁間に掛け渡すように一本の混合軸を貫通させて回転自在に軸支すると共に、該混合軸の長手方向には所定間隔にて複数の支持アームを突設し、これら各支持アームにてリボン状螺旋羽根を固定支持して構成され、構造が比較的シンプルで装置コストを低廉に抑えられると共に、混合材料に対する対流・剪断作用に優れ、例え軽量な粉体同士等を混合する場合でも効率よくかつ確実に攪拌・混合処理可能としている。また、特許文献２（特開昭６１−１５７２５号公報）に示されるように、混合軸にリボン状螺旋羽根を固定支持するための支持アームを有していないタイプのリボンミキサも存在する。
【特許文献１】実公昭６３−３３６２４号公報
【特許文献２】特開昭６１−１５７２５号公報
【発明の開示】
【発明が解決しようとする課題】
【０００３】
しかしながら、従来のリボンミキサでは、周速の比較的遅い混合軸周囲や支持アーム部にて混合材料の付着が生じやすく、この付着が成長するとミキサの攪拌・混合処理能力が大きく低下してしまう上、成長した付着物が剥離して混合物中に混入すると製品の品質に悪影響を及ぼしかねない。また、支持アームを有さないタイプのリボンミキサにおいても、やはり混合軸周囲への付着は避けられない。したがって、ミキサ内の定期的な洗浄処理が必須とされるが、混合材料が食品や薬品、或いは化粧品等の場合、製品に要求される品質は特にシビアなものとなるため、比較的短い間隔で定期的にかつ入念に洗浄処理する必要があり、作業員にとって大変煩わしいだけでなく、混合処理の効率化を妨げる要因となっていた。
【０００４】
本発明は上記の点に鑑み、各種混合材料を効率よくかつ確実に攪拌・混合処理可能とすると共に、混合材料の付着成長を極力抑えてメンテナンス性に優れたミキサを提供することを課題とする。
【課題を解決するための手段】
【０００５】
上記の課題を解決するために、本発明に係る請求項１記載のミキサでは、上端部に混合材料の投入口を有した混合槽を備え、該混合槽の対向する左右側壁に軸心を同一とする一対の回転軸をそれぞれ貫通させて回転自在に軸支し、各回転軸には混合槽側壁に沿って回転する支持片を突設する一方、混合槽内には回転軸の軸心と平行にかつ同心円上に複数の羽根支持材を備え、該羽根支持材の両端部をそれぞれ左右回転軸の支持片に固着して連結すると共に、これら各羽根支持材にてリボン状螺旋羽根を固定支持したことを特徴としている。
【０００６】
また、請求項２記載のミキサでは、螺旋方向を互いに逆方向に形成した一対のリボン状螺旋羽根をそれぞれ羽根支持材の左右両端側から中央側に掛けて固定支持し、混合槽内の混合材料を互いに相反方向へ送り出すように構成したことを特徴としている。
【０００７】
また、請求項３記載のミキサでは、羽根支持材を回転軸の軸心の半径方向へ二重に備え、そのそれぞれにリボン状螺旋羽根を固定支持したことを特徴としている。
【０００８】
また、請求項４記載のミキサでは、螺旋方向を互いに逆方向に形成した一対のリボン状螺旋羽根をそれぞれ外側の羽根支持材の左右両端側から中央側に掛けて固定支持し、混合槽内の半径方向外周部の混合材料を互いに相反方向へ送り出すようにする一方、螺旋方向を互いに逆方向に形成した一対のリボン状螺旋羽根をそれぞれ内側の羽根支持材の中央側から左右両端側に掛けて固定支持し、混合槽内の半径方向中心部の混合材料を互いに相反方向へ、かつ外周部の混合材料とは逆方向へ送り出すように構成したことを特徴としている。
【０００９】
また、請求項５記載のミキサでは、左右回転軸の各支持片には回転に伴って混合槽側壁表面を掻き取るスクレーパを備えたことを特徴としている。
【発明の効果】
【００１０】
本発明に係る請求項１記載のミキサによれば、混合槽の対向する左右側壁に軸心を同一とする一対の回転軸をそれぞれ貫通させて回転自在に軸支し、混合槽内には回転軸の軸心と平行にかつ同心円上に複数の羽根支持材を備え、該羽根支持材の両端部をそれぞれ左右回転軸の支持片に固着して連結すると共に、これら各羽根支持材にてリボン状螺旋羽根を固定支持したので、各種混合材料を効率よくかつ確実に攪拌・混合処理できると共に、付着の生じやすい混合軸や支持アームを無くして混合材料の付着・成長が極力抑えられ、メンテナンス性の向上が期待できる。
【００１１】
また、請求項２記載のミキサによれば、螺旋方向を互いに逆方向に形成した一対のリボン状螺旋羽根をそれぞれ羽根支持材の左右両端側から中央側に掛けて固定支持し、混合槽内の混合材料を互いに相反方向へ送り出すように構成したので、混合材料に対する対流・剪断作用を高められ、より一層効率よくかつ確実に攪拌・混合処理できる。
【００１２】
また、請求項３記載のミキサによれば、羽根支持材を回転軸の軸心の半径方向へ二重に備え、そのそれぞれにリボン状螺旋羽根を固定支持したので、混合材料に対する対流・剪断作用を高められ、より一層効率よくかつ確実に攪拌・混合処理できる。
【００１３】
また、請求項４記載のミキサによれば、螺旋方向を互いに逆方向に形成した一対のリボン状螺旋羽根をそれぞれ外側の羽根支持材の左右両端側から中央側に掛けて固定支持し、混合槽内の半径方向外周部の混合材料を互いに相反方向へ送り出すようにする一方、螺旋方向を互いに逆方向に形成した一対のリボン状螺旋羽根をそれぞれ内側の羽根支持材の中央側から左右両端側に掛けて固定支持し、混合槽内の半径方向中心部の混合材料を互いに相反方向へ、かつ外周部の混合材料とは逆方向へ送り出すように構成したので、混合材料に対する対流・剪断作用を高められ、より一層効率よくかつ確実に攪拌・混合処理できる。
【００１４】
また、請求項５記載のミキサによれば、左右回転軸の各支持片には回転に伴って混合槽側壁表面を掻き取るスクレーパを備えたので、混合槽側壁への混合材料の付着成長も抑えられ、より一層メンテナンス性の向上が期待できる。
【発明を実施するための最良の形態】
【００１５】
本発明に係るミキサにあっては、混合槽の対向する左右側壁に軸心を同一とする一対の回転軸をそれぞれ貫通させて回転自在に軸支し、これら各回転軸の先端部には混合槽側壁に沿って回転する支持片を突設していると共に、該支持片には回転に伴い混合槽側壁表面を掻き取るスクレーパを備えている。また、混合槽内には回転軸の軸心と平行な複数の羽根支持材を、軸心と同心円上にかつ半径方向へ二重に備えており、これら外側及び内側の羽根支持材の両端部をそれぞれ左右回転軸の支持片に固着して連結している。
【００１６】
また、螺旋方向が逆方向の一対のリボン状螺旋羽根をそれぞれ外側の羽根支持材の左右両端側から中央側に掛けて固定支持し、混合槽内の半径方向外周部の混合材料を互いに相反方向へ送り出すように、例えば、混合槽の左右両端側から中央側に向けて送り出すようにしている一方、螺旋方向が逆方向の一対のリボン状螺旋羽根をそれぞれ内側の羽根支持材の中央側から左右両端側に掛けて固定支持し、混合槽内の半径方向中心部の混合材料を互いに相反方向へ、かつ外周部の混合材料とは逆方向へ送り出すように、例えば、混合槽の中央側から左右両端側に向けて送り出すように構成している。
【００１７】
そして、上記構成のミキサを使用して、各種混合材料を攪拌・混合処理する場合には、先ず、混合材料を混合槽内に投入した後、駆動装置を起動して外側及び内側のリボン状螺旋羽根を所定速度にて回転させる。すると、混合槽内の外周部に位置する混合材料は外側のリボン状螺旋羽根にて繰り返し剪断作用を受けながら、混合槽の左右両端側から中央側に向けて送り出される一方、混合槽内の中心部に位置する混合材料は内側のリボン状螺旋羽根にて繰り返し剪断作用を受けながら、混合槽の中央側から左右両端側に向けて送り出される。このようにして、混合槽内の混合材料は繰り返し剪断されながら混合槽内を上下左右へと対流し続け、効率よくかつ確実に攪拌・混合されていく。このとき、混合槽内には付着の生じやすい混合軸や支持アームは無いため、混合材料の付着・成長は極力抑えられる。また、混合槽側壁に付着しようとする混合材料もスクレーパによって直ぐに掻き落とされ、同様に付着・成長は極力抑えられる。そして、混合処理が完了すれば混合槽を傾倒操作して混合物を排出して回収する。
【００１８】
このように、ミキサに対流・剪断作用が高く攪拌・混合性能に優れたリボン状螺旋羽根を採用しつつ、付着の生じやすい混合軸や支持アームを無くしたので、粉体等を含めた様々な混合材料を効率よくかつ確実に攪拌・混合処理できると共に、攪拌・混合処理時における混合材料の付着・成長を極力抑えることができてメンテナンス性の向上が図れ、例えば食品や薬品、或いは化粧品等、高い品質が要求される混合物に対しても都合が良い上、混合処理効率の向上も期待できる。
【実施例】
【００１９】
以下、本発明の実施例を図面に基づいて説明する。
【００２０】
図中の１は、例えば、食品や薬品、或いは化粧品等の粉体を含む、各種混合材料を攪拌・混合処理するミキサであって、上端部に混合材料の投入口２を有した混合槽３を架台４上に搭載している。前記混合槽３は、図２の二点鎖線で示すように、架台４に対して傾倒自在としており、攪拌・混合処理を終えた混合物を容易にかつ迅速に排出可能としている。５は混合槽３を固定する固定ピン５であって、該固定ピン５を任意に引き抜くことにより混合槽３の固定が解除され、混合槽３底部両端に備えたガイドレール６が架台４上に備えたガイドローラ７に案内されて混合槽３をスムーズに傾倒可能としている。なお、混合槽３から混合物を排出する手段として、混合槽３の底部中央位置にダンパーゲート等のゲート装置を備えるようにしてもよい。
【００２１】
前記混合槽３の対向する左右側壁には、軸心を同一とする一対の回転軸８、８′をそれぞれ貫通させて軸受９にて回転自在に軸支していると共に、一方の回転軸８の基端部には減速機１０を介して駆動モータ１１を連結している。また、混合槽３内に突出した各回転軸８、８′の先端部には、混合槽３の側壁に沿って回転する長支持片１２ａと短支持片１２ｂとを一対ずつ突設していると共に、前記長支持片１２ａには混合槽３の左右側壁表面を摺動して付着物を掻き取るスクレーパ１３を備え付けている。
【００２２】
また、混合槽３内には、混合槽３の左右側壁間よりも若干短い一対ずつの羽根支持材１４ａ、１４ｂを、それぞれ回転軸８、８′の軸心と平行に、かつ同心円上に半径方向へ二重に備えており、外側羽根支持材１４ａの両端部を左右回転軸８、８′の長支持片１２ａに、また内側羽根支持材１４ｂの両端部を左右回転軸８、８′の短支持片１２ｂにそれぞれ固着して連結している。
【００２３】
また、外側羽根支持材１４ａには、螺旋方向を互いに逆方向に形成した一対の外側リボン状螺旋羽根１５ａを、それぞれ外側羽根支持材１４ａの左右両端側から中央側に掛けて固定支持し、混合槽３内の半径方向外周部にある混合材料を互いに相反方向へ送り出すように、例えば、混合槽３の左右両端側から中央側に向けて送り出すようにしている一方、内側羽根支持材１４ｂには、螺旋方向を互いに逆方向に形成した一対の内側リボン状螺旋羽根１５ｂを、それぞれ羽根支持材１４ｂの中央側から左右両端側に掛けて固定支持し、混合槽３内の半径方向中心部にある混合材料を互いに相反方向へ、かつ外周部の混合材料とは逆方向へ送り出すように、例えば、混合槽３の中央側から左右両端側に向けて送り出すように構成している。
【００２４】
なお、外側リボン状螺旋羽根１５ａによる混合材料の送り出し方向を、混合槽３の中央側から左右両端側に向けて送り出すようにすると共に、内側リボン状螺旋羽根１５ｂによる混合材料の送り出し方向を、その逆方向である混合槽３の左右両端側から中央側に向けて送り出すように構成することもできるが、例えば、混合槽３から混合物を排出する手段として、混合槽３の底部中央位置にダンパーゲート等のゲート装置を備えるようにした場合には、外側リボン状螺旋羽根１５ａの送り出し方向を、混合槽３の左右両端側から中央側に向けて送り出すように構成すると、混合槽３底部の混合物を迅速に排出可能となって好適である。
【００２５】
そして、上記構成のミキサ１を使用して、食品や薬品、或いは化粧品等の粉体を含む、各種混合材料を攪拌・混合処理する場合には、先ず、混合材料を投入口２より混合槽３内に投入した後、駆動装置１１を起動して外側及び内側リボン状螺旋羽根１５ａ、１５ｂを図中の矢印方向へ所定速度にて回転させる。すると、混合槽３内の半径方向外周部にある混合材料は、外側リボン状螺旋羽根１５ａにて剪断作用を受けながら、混合槽３の左右両端側から中央側に向けて徐々に送り出される一方、混合槽３内の中心部にある混合材料は内側リボン状螺旋羽根１５ｂにて同様に剪断作用を受けながら、混合槽３の中央側から左右両端側に向けて徐々に送り出されていく。こうして、混合槽３内の混合材料は繰り返し剪断されながら混合槽３内を縦横に対流し続け、効率よくかつ確実に攪拌・混合されていく。
【００２６】
このとき、混合槽３内には混合材料の付着が生じやすい混合軸や支持アームが存在しないため、混合処理時における混合材料の付着・成長は極力抑えることができる。また、同様に付着が生じやすい混合槽３側壁に対しては、長支持片１２ａと共に回転するスクレーパ１３によって絶えず掻き落としが行われるため、やはり混合槽３側壁への混合材料の付着・成長は極力抑えることができる。そして、混合処理が終われば駆動装置１１を停止した後、固定ピン５を引き抜いて混合槽３の固定を解除し、混合槽３を傾倒操作して混合槽３内の混合物を排出して回収する。
【００２７】
このように、ミキサ１に対流・剪断作用が高く攪拌・混合性能に優れたリボン状螺旋羽根１５ａ、１５ｂを採用しつつ、付着の生じやすい混合軸や支持アームを無くしたので、粉体等を含めた様々な混合材料を効率よくかつ確実に攪拌・混合処理できると共に、攪拌・混合処理時における混合材料の付着・成長を極力抑えることができてメンテナンス性の向上が図れ、例え食品や薬品、或いは化粧品等の高い品質が要求されるものに対しても都合が良い上、高い稼働率を維持できて混合処理効率の向上も期待できる。
【００２８】
なお、上記実施例のように、リボン状螺旋羽根を、回転軸８、８′の軸心の半径方向へ二重に、外側リボン状螺旋羽根１５ａと内側リボン状螺旋羽根１５ｂとを備えるようにすると、混合材料をより細かくかつ迅速に対流・剪断処理することが可能となり、攪拌・混合処理効率の向上が期待できるが、混合材料によっては、例えば外側リボン状螺旋羽根１５ａのみの構成としても良い。また、上記実施例においては、リボン状螺旋羽根１５ａ、１５ｂを、螺旋方向を互いに逆方向に形成した一対のものをそれぞれ羽根支持材１４ａ、１４ｂの両側に固定支持するようにしたが、混合材料によっては、連続した一本もののリボン状螺旋羽根を採用しても良く、その場合、外側リボン状螺旋羽根と内側リボン状螺旋羽根の送り出し方向をそれぞれ逆方向にすると、混合材料を混合槽３内で効果的に対流させることが可能となり、効率よく攪拌・混合処理できて好ましい。
【図面の簡単な説明】
【００２９】
【図１】本発明に係る、ミキサの一実施例を示す一部切り欠き正面図である。
【図２】図１の一部切り欠き側面図である。
【図３】図１の平面図である。
【符号の説明】
【００３０】
１…ミキサ                      ２…投入口
３…混合槽                      ４…架台
８、８′…回転軸                １１…駆動モータ
１２ａ、１２ｂ…支持片          １３…スクレーパ
１４ａ、１４ｂ…羽根支持材      １５ａ、１５ｂ…リボン状螺旋羽根
【図１】
2009066537.tif 000003
【図２】
2009066537.tif 000004
【図３】
2009066537.tif 000005